(57)【要約】【課題】  好適に角膜形状を測定できる眼科装置を提供することを技術課題とする。【解決手段】  被検眼を測定する眼科装置であって、前記被検眼に第１パターン指標を投影する第１投影系と、前記被検眼に対物レンズを介して第２パターン指標を投影する第２投影系と、前記第１投影系に設けられた開口部を通して前記被検眼の前眼部を撮影する前眼観察系と、前記第２投影系と前記前眼観察系とは異なる１つ以上の測定光学系と、を備えることを特徴とする。【選択図】      図１
2020049129.tif 000002
【特許請求の範囲】
【請求項１】
被検眼を測定する眼科装置であって、
前記被検眼に第１パターン指標を投影する第１投影系と、
前記被検眼に対物レンズを介して第２パターン指標を投影する第２投影系と、
前記第１投影系に設けられた開口部を通して前記被検眼の前眼部を撮影する前眼観察系と、
前記第２投影系と前記前眼観察系とは異なる１つ以上の測定光学系と、
を備えることを特徴とする眼科装置。
【請求項２】
前記測定光学系は、前記被検眼によって反射した測定光と、前記測定光に対応する参照光と、の干渉状態を検出する干渉光学系であることを特徴とする請求項１の眼科装置。
【請求項３】
前記対物レンズよりも前記被検眼側に配置された第１分岐ミラーをさらに備え、
前記第１分岐ミラーは、前記前眼観察系と、第２投影系および測定光学系と、を分岐することを特徴とする請求項１または２の眼科装置。
【請求項４】
前記第２投影系と前記測定光学系は、一部の光学素子を共有することを特徴とする請求項１〜３のいずれかの眼科装置。
【請求項５】
前記第２投影系と前記測定光学系は、前記対物レンズを共有することを特徴とする請求項４の眼科装置。
【請求項６】
前記第２投影系と、前記前眼観察系および前記測定光学系と、を分岐する第１分岐ミラーをさらに備えることを特徴とする請求項１または２の眼科装置。
【請求項７】
前記測定光学系と、前記前眼観察系および第２投影系と、を分岐する第１分岐ミラーをさらに備えることを特徴とする請求項１または２の眼科装置。
【請求項８】
前記第２投影系に配置され、中央に空洞部が形成された環状レンズをさらに備え、
前記前眼観察系の光路は前記空洞部を通過することを特徴とする請求項７の眼科装置。
【請求項９】
前記前眼観察系と第２投影系を分岐する第２分岐ミラーをさらに備え、
前記環状レンズは、前記第１分岐ミラーと前記第２分岐ミラーとの間に配置されることを特徴とする請求項８の眼科装置。
【請求項１０】
前記環状レンズは、前記第１分岐ミラーよりも被検眼側に配置されることを特徴とする請求項８の眼科装置。
【発明の詳細な説明】
【技術分野】
【０００１】
本開示は、被検眼の検査を行う眼科装置に関する。
【背景技術】
【０００２】
被検眼の角膜に多数のリングパターンを投影し、角膜に形成された指標像を撮影することで角膜形状を測定する眼科装置が知られている（特許文献１参照）。
【０００３】
従来の装置において、被検眼角膜へのリングパターンの投影は、例えば、リング形状の透光部と遮光部（マスク部）が交互に同心円状に形成されたプラチド板を複数の光源によって背後から照明することで行われる。
【先行技術文献】
【特許文献】
【０００４】
【特許文献１】特開平７−１９４５５０号公報
【発明の概要】
【発明が解決しようとする課題】
【０００５】
しかしながら、従来の方法を用いた場合、角膜中心部の形状を測定することが難しかった。
【０００６】
本開示は、従来の問題点に鑑み、好適に角膜形状を測定できる眼科装置を提供することを技術課題とする。
【課題を解決するための手段】
【０００７】
上記課題を解決するために、本開示は以下のような構成を備えることを特徴とする。
【０００８】
（１）  被検眼を測定する眼科装置であって、前記被検眼に第１パターン指標を投影する第１投影系と、前記被検眼に対物レンズを介して第２パターン指標を投影する第２投影系と、前記第１投影系に設けられた開口部を通して前記被検眼の前眼部を撮影する前眼観察系と、前記第２投影系と前記前眼観察系とは異なる１つ以上の測定光学系と、を備えることを特徴とする。
【図面の簡単な説明】
【０００９】
【図１】第１実施例における眼科装置の内部構成を示す概略図である。
【図２】内部プラチド光学系の一部を示す図である。
【図３】外部プラチド光学系の一部を示す図である。
【図４】前眼部画像の一例を示す図である。
【図５】第２実施例のおける眼科装置の内部構成を示す概略図である。
【図６】第３実施例のおける眼科装置の内部構成を示す概略図である。
【図７】第３実施例の変容例における眼科装置の内部構成を示す概略図である。
【発明を実施するための形態】
【００１０】
＜実施形態＞
以下、本開示に係る実施形態について説明する。本実施形態の眼科装置（例えば、眼科装置１〜３）は、被検眼を測定する。眼科装置は、例えば、第１投影系（例えば、外部プラチド光学系５０）と、第２投影系（例えば、内部プラチド光学系３０）と、前眼観察系（例えば、前眼観察系２０）と、測定光学系（例えば、ＯＣＴ光学系４０）を備える。
【００１１】
第１投影系は、被検眼に第１パターン指標（例えば、パターン指標Ｑ１）を投影する。第１投影系は、例えば、被検眼の角膜に第１パターン指標を投影する。第１パターン指標は、例えば、角膜形状を測定するための指標である。第１投影系は、例えば、角膜中心部（例えば、角膜頂点を含む領域）を除く領域に第１パターン指標を投影する。第２投影系は、被検眼に対物レンズを介して第２パターン指標（例えば、パターン指標Ｑ２）を投影する。第２投影系は、例えば、被検眼の角膜に第２パターン指標を投影する。第２パターン指標は、例えば、角膜形状を測定するための指標である。第２投影系は、例えば、被検眼において第１パターン指標が投影されていない位置に第２パターン指標を投影する。例えば、第２投影系は、角膜中心部に第２パターン指標を投影する。第１パターン指標および第２パターン指標は、例えば、プラチドリングパターンでもよいし、ドットパターンなどであってもよい。前眼観察系は、例えば、第１投影系に設けられた開口部（例えば、開口部５５）を通して被検眼の前眼部を撮影する。測定光学系は、第２投影系と前眼観察系とは異なる光学系である。眼科装置は、少なくとも１つの測定光学系を備える。
【００１２】
なお、眼科装置は、第１分岐ミラー（例えば、分岐ミラー１１）をさらに備えてもよい。第１分岐ミラーは、例えば、対物レンズ（例えば、レンズ１５）よりも被検眼側（外側）に配置される。第１分岐ミラーは、前眼観察系と、第２投影系および測定光学系と、を分岐してもよい。これによって、第２投影系と前眼観察系でレンズを共有しない光学系となり、レンズ反射由来のゴースト光が前眼部画像に写り込むことを防止できる。また、第２投影系と測定光学系は、一部の光学素子を共有してもよい。これによって、レンズ枚数の削減、または装置のコンパクト化が可能となる。例えば、第２投影系と測定光学系は、両系の分岐前に配置された対物レンズ（例えば、レンズ１５）を共有してもよい。これによって、対物レンズ以降の光学系（例えば、後述する第２分岐ミラー）の巨大化を防ぐことができる。また、第２投影系は、より像高の高いパターン指標を投影することができる。
【００１３】
なお、第１分岐ミラーは、第２投影系と、前眼観察系および測定光学系と、を分岐してもよい。第２投影系を最初に分岐させることで、第２投影系のワーキングディスタンス（作動距離）を短くでき、その後段の光学系サイズを小さくできる。また、前眼観察系とレンズを共有しないため、レンズ反射由来のゴースト光が前眼部画像に写り込むことを防止できる。
【００１４】
なお、第１分岐ミラーは、測定光学系と、前眼観察系および第２投影系と、を分岐してもよい。測定光学系をすぐに分岐することで測定光学系の作動距離を短くすることができる。この場合、眼科装置は、環状レンズ（例えば、環状レンズ１６、または環状レンズ１７）を備えてもよい。環状レンズは、例えば、穴あきレンズ、リングレンズなどであり、中央に空洞部（空洞部１６ａ，１７ａ）が形成された環状のレンズである。環状レンズは、例えば、第２投影系に配置される。前眼観察系の光路は空洞部を通過するため、第２投影系と前眼観察系はレンズを共有しない光学系となり、レンズ反射由来のゴースト光が前眼部画像に写り込むことを防止できる。
【００１５】
なお、眼科装置は、第２分岐ミラー（例えば、分岐ミラー１２）をさらに備えてもよい。第２分岐ミラーは、例えば、第１分岐ミラーによって分岐された光学系をさらに分岐する。例えば、第１分岐ミラーによって、測定光学系と、前眼観察系および第２投影系と、が分岐される場合、第２分岐ミラーは、前眼観察系と第２投影系を分岐する。この場合、環状レンズは、第１分岐ミラーと第２分岐ミラーとの間に配置されてもよいし、第１分岐ミラーよりも被検眼側に配置されてもよい。後者の場合、環状レンズのサイズを小さくできる。
【００１６】
なお、測定光学系は、被検眼によって反射した測定光と、測定光に対応する参照光との干渉状態を検出する干渉光学系（例えば、ＯＣＴ光学系４０）であってもよい。この場合、眼科装置は、角膜形状のみならず、干渉光学系による眼軸長の測定、前眼部断面画像による角膜裏面を含めた詳細な３次元形状解析、または眼底疾患を考慮した眼軸長測定等の解析ができる。なお、測定光学系は、被検眼の収差を測定する収差測定光学系であってもよい。
【００１７】
＜実施例＞
以下、本開示に係る眼科装置１を図面に基づいて説明する。図１は本実施例に係る眼科装置１の内部構成について示す概略構成図である。なお、以下の光学系は、図示無き筐体に内蔵されている。また、その筐体は、周知のアライメント移動機構の駆動によって、操作部材（例えば、タッチパネル、ジョイスティックなど）を介して被検眼Ｅに対して３次元的に移動される。なお、以下の説明においては、被検眼Ｅの光軸方向をＺ方向、水平方向をＸ方向、鉛直方向をＹ方向として説明する。
【００１８】
本実施例の眼科装置１は、例えば、分岐ミラー１１、分岐ミラー１２、レンズ１５、前眼観察系２０、内部プラチド光学系３０、ＯＣＴ光学系４０などを主に備える。分岐ミラー１１、分岐ミラー１２は、各光学系の光路を分岐する。レンズ１５は、内部プラチド光学系３０とＯＣＴ光学系４０で共有される。前眼観察系２０は、例えば、被検眼の前眼部を撮影する。内部プラチド光学系３０は、対物レンズを介して被検眼Ｅにパターン指標を投影する。ＯＣＴ光学系４０は、被検眼Ｅの眼軸長の測定などに用いられる。
【００１９】
＜前眼観察系＞
前眼観察系２０は、前眼部正面像を撮影する。前眼観察系２０は、レンズ２１、レンズ２２、および受光素子２３などを備える。レンズ２１は、前眼観察系２０の対物レンズである。受光素子２３は、被検眼の前眼部と略共役な位置に配置されている。受光素子２３からの出力信号は前眼部の観察、角膜に投影されたパターン指標（例えば、プラチドリングパターンなど）の撮影等に使用される。この場合、被検眼からの反射光は、レンズ２１、レンズ２２を介して受光素子２３に受光される。
【００２０】
＜内部プラチド光学系＞
内部プラチド光学系３０は、レンズ１５を介して被検眼の角膜にパターン指標を投影する。内部プラチド光学系３０は、例えば、光源３１、レンズ３２、指標板３３、レンズ３４、レンズ３５を備える。光源３１は、例えば、可視光を出射する。指標板３３は、光源３１からの光をパターン指標光とする。図２に示すように、指標板３３には遮光部３３ａと透光部３３ｂが形成される。遮光部３３ａは、光源３１からの光を遮蔽する。透光部３３ｂは、光源３１からの光を透過する。指標板３３には、例えば、図２のような同心円状のリングパターン（プラチドリングパターン）が形成される。光源３１から光がリング状の透光部３３ｂを通過することによってリング状のパターン指標光となり、被検眼に投影される。
【００２１】
光源３１からの光は、レンズ３２、指標板３３、レンズ３４、レンズ３５を通り、分岐ミラー１２によって光軸Ｏ１方向に反射される。そして、分岐ミラー１２での反射光は、レンズ１５を通って、分岐ミラー１１を透過し、被検眼に向かう。
【００２２】
なお、本実施例の内部プラチド光学系３０は、固視標投影光学系を兼ねている。したがって、内部プラチド光学系３０は、光源３１からの指標光を被検眼に照射することによって、被検者を固視させることができる。なお、固視灯は前眼観察系２０で分岐して専用の系を構築してもよいし、同様に内部プラチド光学系３０で分岐してもよいし、ＯＣＴ光学系４０で分岐してもよい。
【００２３】
＜ＯＣＴ光学系＞
ＯＣＴ光学系４０は、眼Ｅに測定光を照射する。ＯＣＴ光学系４０は、被検眼の各部（例えば、角膜、水晶体、眼底など）から反射された測定光と，参照光との干渉状態を検出器（受光素子）４５によって検出する。
【００２４】
ＯＣＴ光学系４０は、いわゆる眼科用光断層干渉計（ＯＣＴ：Optical coherence tomography）の構成を持つ。ＯＣＴ光学系４０は、光源４１から出射された光をカプラ（光分割器）４２によって測定光（試料光）と参照光に分割する。そして、ＯＣＴ光学系４０は、測定光を被検眼に導き，また、参照光を参照光学系４５に導く。その後、被検眼の各部によって反射された測定光と，参照光との合成による干渉光を検出器４６に受光させる。
【００２５】
光源４１から出射された光は、カプラ４２によって測定光束と参照光束に分割される。そして、測定光束は、光ファイバーを通過した後、空気中へ出射される。その光束は、レンズ４３、レンズ４４、レンズ１５などを介して被検眼に照射される。そして、被検眼の各部で反射された光は、同様の光路を経て光ファイバーに戻される。
【００２６】
参照光学系４５は、眼Ｅでの測定光の反射によって取得される反射光と合成される参照光を生成する。参照光学系４５は、マイケルソンタイプであってもよいし、マッハツェンダタイプであっても良い。参照光学系４５は、例えば、反射光学系（例えば、参照ミラー）によって形成され、カプラ４２からの光を反射光学系により反射することにより再度カプラ４２に戻し、検出器４６に導く。他の例としては、参照光学系４５は、透過光学系（例えば、光ファイバー）によって形成され、カプラ４２からの光を戻さず透過させることにより検出器４６へと導く。
【００２７】
参照光学系４５は、参照光路中の光学部材を移動させることにより、測定光と参照光との光路長差を変更する構成を有する。例えば、参照ミラーが光軸方向に移動される。
【００２８】
検出器４６は、測定光と参照光との干渉状態を検出する。フーリエドメインＯＣＴの場合では、干渉光のスペクトル強度が検出器４６によって検出され、スペクトル強度データに対するフーリエ変換によって所定範囲における深さプロファイル（Ａスキャン信号）が取得される。
【００２９】
例えば、フーリエドメインＯＣＴとしては、Spectral-domain OCT（ＳＤ−ＯＣＴ）、Swept-source OCT（ＳＳ−ＯＣＴ）が挙げられる。また、Time-domain OCT（ＴＤ−ＯＣＴ）であってもよい。
【００３０】
ＳＤ−ＯＣＴの場合、光源４１として低コヒーレント光源（広帯域光源）が用いられ、検出器４６には、干渉光を各周波数成分（各波長成分）に分光する分光光学系（スペクトルメータ）が設けられる。スペクトルメータは、例えば、回折格子とラインセンサからなる。
【００３１】
ＳＳ−ＯＣＴの場合、光源４１として出射波長を時間的に高速で変化させる波長走査型光源（波長可変光源）が用いられ、検出器４１として、例えば、単一の受光素子が設けられる。光源４１は、例えば、光源、ファイバーリング共振器、及び波長選択フィルタによって構成される。そして、波長選択フィルタとして、例えば、回折格子とポリゴンミラーの組み合わせ、ファブリー・ペローエタロンを用いたものが挙げられる。
【００３２】
＜外部プラチド光学系＞
外部プラチド光学系５０は、被検眼にパターン指標（例えば、プラチドリングパターン）を投影する。外部プラチド光学系５０は、例えば、光源５１、導光板５２、プラチド板５３などを備える。外部プラチド光学系５０は、光軸Ｏ１を中心に配置される。
【００３３】
光源５１は、例えば、赤外光または可視光を発するＬＥＤである。光源５１は、導光板５２の後方に複数並べて配置される。つまり、光源５１は、導光板５２の背後にリング状に配置される。導光板５２は、例えば、透光体の板である。材質としては、例えば、アクリル樹脂等の透明樹脂が用いられる。プラチド板５３は、導光板５２の前面に配置される。プラチド板５３は、例えば、透光体の板にプラチドリングパターンが形成されている。例えば、プラチド板５３には、図３に示すように、黒塗装された遮光部５３ａと、塗装されていない透光部５３ｂが、光軸Ｏ１を中心として同心円状に交互に多数形成される。
【００３４】
光源５１から出射した光は、導光板５２の後面から内部に入射し、拡散しながら導光板５２の前面から出射する。導光板５２から出射した光は、プラチド板５３を後方から照明し、透光部５３ｂを透過した光によって、被検眼にプラチドリングパターンが投影される。
【００３５】
なお、図３に示すように、本実施例の導光板５２には開口部５５の他に１０ヶ所の穴が開いている。水平方向にある２つの長穴５４は作動距離検出部４０の光路のための穴であり、残りの穴は前眼部照明用のＬＥＤがはめ込まれる。
【００３６】
＜作動距離検出部＞
作動距離検出部６０は、例えば、投光系と、受光系を備える。投光系は、赤外光を発する光源６１とレンズ６２を備える。受光系は、レンズ６３と受光素子６４を備える。光源６１からの光はレンズ６２によって略平行光束にされ、導光板５２およびプラチド板５３に設けられた長穴５４を通って被検眼Ｅの角膜に斜め方向から照射される。受光系の受光光軸は光軸Ｏ１に対して投光系の投光光軸と対称となるように設けられており、光源６１による角膜反射光は、長穴５４、レンズ６３を介して受光素子６４に入射する。被検眼Ｅが前後方向（光軸方向）に相対的に移動すると、被検眼角膜に形成された指標像も受光素子上を移動するため、その偏位から被検眼の作動距離方向のアライメント状態を検知することができる。
【００３７】
＜光学配置について＞
次に、第１実施例の光学配置について説明する。第１実施例では、図１に示すように、被検眼側に配置された分岐ミラー１１によって、前眼観察系２０と、内部プラチド光学系３０およびＯＣＴ光学系４０とが分岐される。図１の例では、分岐ミラー１１の反射側に前眼観察系２０が配置され、透過側に内部プラチド光学系３０とＯＣＴ光学系４０が配置される。また、分岐ミラー１１の透過側にレンズ１５が配置される。レンズ１５は、内部プラチド光学系３０とＯＣＴ光学系４０とで共有される。レンズ１５は、内部プラチド光学系３０とＯＣＴ光学系４０の対物レンズとなり、内部プラチド光学系３０のフィールドレンズとしての役割を持つ。フィールドレンズとは、例えば、周辺部の視野の主光線角を制御するレンズである。内部プラチド光学系３０およびＯＣＴ光学系４０は、分岐ミラー１２によって分岐される。なお、分岐ミラー１１を透過した段階で軸上アスが発生するため、分岐ミラー１１の透過側にはシリンドリカルレンズを配置するか、分岐ミラー１１とは反対方向にチルトさせたウィンドウ（透明板など）を配置することで打ち消してもよい。もちろん、アスの程度が小さければそれらを配置しなくてもよい。例えば、分岐ミラーとしてプリズムを用いれば、アスは軽減される。
【００３８】
＜制御部＞
続いて、制御系について説明する。制御部７０は、装置全体の制御及び測定結果の算出を行う。制御部７０は、光学系の各光源および各受光素子、モニタ７１、操作部７２、メモリ７３等と接続されている。なお、メモリ７３には、各種制御プログラム、ＩＯＬ度数算出プログラム等が記憶されている。
【００３９】
＜制御動作＞
以下、本装置の制御動作について説明する。まず、制御部７０は、被検眼に対するアライメントを行う。アライメントの際、制御部７０は、光源３１、光源５１及び光源６１を点灯する。制御部７０は、前眼観察系２０によって被検眼の前眼部画像を撮影し、取得された前眼部画像に基づいて、被検眼と装置のＸＹ方向のアライメントを行う。例えば、制御部７０は、前眼部画像に写るパターン指標を検出し、パターン指標の中心が前眼部画像の中央にくるようにＸＹ方向のアライメントを行う。また、制御部７０は、作動距離検出部６０の検出結果に基づいてＺ方向のアライメントを行う。
【００４０】
前眼部に対するアライメントが完了されると、制御部７０は、前眼観察系２０によって前眼部画像を撮影する。図４に示すように、前眼部画像Ｐには、外部プラチド光学系５０によって投影されたパターン指標Ｑ１と内部プラチド光学系３０によって投影されたパターン指標Ｑ２が写る。また、制御部７０は、ＯＣＴ光学系４０によってＡスキャン信号を取得する。取得された前眼部画像およびＡスキャン信号は、メモリ７３等に記憶される。
【００４１】
続いて、制御部７０は、眼形状パラメータを取得する。例えば、制御部７０は、メモリ７３に記憶された前眼部画像Ｐにおけるパターン指標Ｑ１，Ｑ２に基づいて被検眼の角膜形状を算出する。また、制御部７０は、ＯＣＴ光学系４０を用いて取得されたＡスキャン信号を解析する。例えば、制御部７０は、Ａスキャン信号のピーク位置等に基づいて角膜、水晶体、網膜などの位置を検出し、その位置に基づいて角膜厚、前房深度、水晶体厚、眼軸長などを測定する。取得された眼形状パラメータは、例えば、メモリ７３等に記憶され、モニタ７１等に表示される。
【００４２】
以上のように、第１実施例の眼科装置１は、前眼観察系２０と、内部プラチド光学系３０と、ＯＣＴ光学系４０の各光路を分岐ミラー１１および分岐ミラー１２によって分岐している。また、前眼観察系２０と内部プラチド光学系３０は対物レンズを共有せず、それぞれ対物レンズを備える。このような構成によって、対物レンズで反射した内部プラチド光学系３０の指標光が、前眼観察系２０によって撮影される前眼部画像Ｐに写り込むことを防止できる。したがって、前眼観察系２０は、内部プラチド光学系３０によって角膜中心部（光軸Ｏ１付近）に投影されたパターン指標を良好に撮影することができる。
【００４３】
また、第１実施例のようにＯＣＴ光学系４０を備える場合、できるだけ作動距離を短くするため、外部プラチド光学系５０によって投影されるパターン指標Ｑ１の像高が高くなり、角膜中心部の形状情報を取得することが困難になる。このような場合であっても、上記実施例のような構成とすることで、対物反射によるゴースト光の発生を抑えた状態で、パターン指標Ｑ２の解析による角膜中心部の形状取得を行うことができる。特に、ＯＣＴ光学系４０が測定光を走査するスキャナ（走査部）を備えておらず、前眼部の２次元断面画像を撮影できない場合であっても、角膜中心部の角膜形状を容易に測定することができる。
【００４４】
また、第１実施例の眼科装置１は、レンズ１５を配置することによって内部プラチド光学系３０を大型化させることなく、像高の高いパターン指標Ｑ２を角膜に投影できるため、外部プラチド光学系５０の開口部５５を大きくし、前眼部画像等の視野を広げることができる。
【００４５】
＜第２実施例＞
次に、第２実施例について説明する。第２実施例の眼科装置２は、第１実施例と比較して光学配置が異なる。以下、第１実施例と異なる点について主に説明し、同様の構成については同符号を付して説明を省略する。
【００４６】
第２実施例の眼科装置２では、図５に示すように、被検眼側に配置された分岐ミラー１１によって、内部プラチド光学系３０と、前眼観察系２０およびＯＣＴ光学系４０とが分岐される。図５の例では、分岐ミラー１１の反射側に内部プラチド光学系３０が配置され、分岐ミラー１１の透過側に前眼観察系２０とＯＣＴ光学系４０が配置される。第２実施例では、内部プラチド光学系３０が被検眼の近くに配置されるため、フィールドレンズが不要となり、光学系が簡略化される。なお、分岐ミラー１１と分岐ミラー１２の間に、前眼観察系２０とＯＣＴ光学系４０とで共有されるレンズを設けてもよい。
【００４７】
＜第３実施例＞
第３実施例について説明する。第３実施例の眼科装置３は、第１および第２実施例の眼科装置１，２と比較して光学配置が異なる。以下、第１および第２実施例と異なる点について主に説明し、同様の構成については同符号を付して説明を省略する。
【００４８】
第３実施例の眼科装置３では、図６に示すように、被検眼側に配置された分岐ミラー１１によって、ＯＣＴ光学系４０と、前眼観察系２０および内部プラチド光学系３０とが分岐される。図６の例では、分岐ミラー１１の反射側にＯＣＴ光学系４０が配置され、透過側に前眼観察系２０と内部プラチド光学系３０が配置される。また、分岐ミラー１１の透過側に環状レンズ１６が配置される。環状レンズ１６は、例えば、中央部分に空洞部１６ａが形成された穴あきレンズまたはリングレンズなどである。環状レンズ１６は内部プラチド光学系３０のフィールドレンズとなる。前眼観察系２０に受光される光は、穴あきレンズ１６の空洞部１６ａを通り抜けるため、屈折はせずに分岐ミラー１２に到達する。このように、先にＯＣＴ光学系４０から分岐させることによって、ＯＣＴ光学４０の作動距離を短くすることができる。また、環状レンズ１６によって、対物反射を生じさせることなく内部プラチド光学系３０の指標光を屈折させることができる。
【００４９】
＜変容例＞
続いて、第３実施例の変容例について説明する。本変容例の眼科装置３ａでは、図７に示すように、第３実施例の環状レンズ１６に代わり、環状レンズ１７が分岐ミラー１１よりも被検眼側（外側）に配置される。環状レンズ１７は、内部プラチド光学系３０のフィールドレンズとなる。前眼観察系２０またはＯＣＴ光学系４０に受光される光は、環状レンズ１７の空洞部１７ａを通り抜けるため、屈折はせずに分岐ミラー１１または分岐ミラー１２に到達する。本変容例の眼科装置３ａは、第３実施例の効果に加え、環状レンズを被検眼の近くに配置できるため、環状レンズのサイズを小さくすることができる。
【００５０】
なお、以上の第１〜３実施例において、分岐ミラー１１および分岐ミラー１２の透過側および反射側の光学配置は逆であってもよい。例えば、第１実施例の場合、分岐ミラー１１の反射側に内部プラチド光学系３０およびＯＣＴ光学系４０が配置され、透過側に前眼観察系２０が配置されてもよい。また、分岐ミラー１２の反射側にＯＣＴ光学系４０が配置され、透過側に内部プラチド光学系３０が配置されてもよい。
【００５１】
なお、分岐ミラー１１，１２は板状のミラーであってもよいし、プリズム形状であってもよい。また、分岐ミラー１１，１２は、ダイクロイックミラーであってもよいし、偏光ビームスプリッタ（ＰＢＳ）であってもよい。
【００５２】
なお、以上の実施例において、眼科装置１〜３はＯＣＴ光学系４０を備えたが、シャックハルトマン型の波面センサなどを備えた収差測定光学系、またはその他の光学系を備えてもよい。本開示の技術は、前眼観察系２０と内部プラチド光学系３０を含めた３つ以上の光学系を備える場合に適用される。
【符号の説明】
【００５３】
１  眼科装置
２  眼科装置
３  眼科装置
３ａ  眼科装置
１１  分岐ミラー
１２  分岐ミラー
１５  対物レンズ
１６  環状レンズ
１６ａ  空洞部
１７  環状レンズ
１７ａ  空洞部
２０  前眼観察系
２１  レンズ
２２  レンズ
２３  受光素子
３０  内部プラチド光学系
３１  光源
３２  レンズ
３３  指標板
３４  レンズ
３５  レンズ
４０  ＯＣＴ光学系
４１  光源
４２  カプラ
４３  レンズ
４４  レンズ
４５  参照光学系
４６  検出器
５０  外部プラチド光学系
５１  光源
５２  指標板
５５  開口部
６０  作動距離検出系
６１  光源
６２  レンズ
６３  レンズ
６４  受光素子
７０  制御部
Ｐ  前眼部画像
Ｑ１  パターン指標
Ｑ２  パターン指標
【図１】
2020049129.tif 000003
【図２】
2020049129.tif 000004
【図３】
2020049129.tif 000005
【図４】
2020049129.tif 000006
【図５】
2020049129.tif 000007
【図６】
2020049129.tif 000008
【図７】
2020049129.tif 000009